(57)【要約】      （修正有）【課題】汎用的なプリンタにおいてもフィード適性に優れており容易に印字することができ、そしてプリンタ印字後は、折り畳むことによって、情報記載部を伴った状態で貼付可能な配送伝票となる、プリンタ印字可能な配送伝票作製用紙を提供する。【解決手段】プリンタ印字可能な配送伝票作製用紙１であって、この配送伝票作製用紙は、配送伝票部１１、粘着部１３、情報記載部１５を有し、この配送伝票部、粘着部、情報記載部は、全て同一の面に存在し、この粘着部は剥離片１７で覆われており、この配送伝票部とこの粘着部との間に切り離し予定部が存在し、かつ、この粘着部とこの情報記載部との間に切り離し予定部２１が存在し、この配送伝票作製用紙は、プリンタ印字後に折り畳むことによって、情報記載部を伴った状態で貼付可能な配送伝票となる。【選択図】図１
0003156746.tif 000002
【実用新案登録請求の範囲】
【請求項１】
プリンタ印字可能な配送伝票作製用紙であって、
該配送伝票作製用紙は、配送伝票部、粘着部、情報記載部を有し、
該配送伝票部、粘着部、情報記載部は、全て同一の面に存在し、
該粘着部は剥離片で覆われており、
該配送伝票部と該粘着部との間に切り離し予定部が存在し、かつ、該粘着部と該情報記載部との間に切り離し予定部が存在し、および
該配送伝票作製用紙は、プリンタ印字後に折り畳むことによって、情報記載部を伴った状態で貼付可能な配送伝票となる、
プリンタ印字可能な配送伝票作製用紙。
【請求項２】
前記情報記載部は納品書および／または請求書としての情報を表示する部分である、請求項１記載のプリンタ印字可能な配送伝票作製用紙。
【請求項３】
前記配送伝票作製用紙をプリンタ印字後に折り畳むことにより、粘着部が配送伝票部の裏面および情報記載部の両方と付着し、情報記載部を伴った状態で貼付可能な配送伝票となる、請求項１または２記載のプリンタ印字可能な配送伝票作製用紙。
【考案の詳細な説明】
【技術分野】
【０００１】
本考案は、汎用的なプリンタにおいてもフィード適性に優れており容易に印字することができ、そしてプリンタ印字後は、折り畳むことによって、情報記載部を伴った状態で貼付可能な配送伝票となる、プリンタ印字可能な配送伝票作製用紙に関する。
【背景技術】
【０００２】
近年における販売手段および配送手段の多様化に伴い、様々な形態の配送伝票が存在する。従来は、購入等の申込みがあった商品を配送する際に、配送伝票と、配送を行う商品の納品書および請求書などを別々に印字していた。そしてこれらの書類を照合しながら、納品書および請求書などを商品と共に配送用箱に入れ、そして配送伝票は配送用箱に貼り付けて、配送を行っていた。しかしながらこの方法は、各書類を印字するために、各書類の様式に適合した印字手段を複数用意するか、あるいは、各書類を印字する度に各書類用印字用紙をその都度取り替える必要があり、これらは何れも極めて繁雑であった。さらに、複数存在する各書類を照合する必要があり、手間がかかっていた。
【０００３】
上記問題を解決する手段として、配送伝票、納品書、請求書などを一度に印字する手段についての検討および実施がなされている。例えば、配送伝票、納品書、請求書となる情報部を一枚の用紙に印字し、次いでこれを、一番上（表面）に配送伝票部がくるように折り畳み、透明な袋の中に入れてこれを配送用箱に貼り付ける方法などが挙げられる。このような方法によって、複数存在する各伝票の照合作業を省略することができ、そして各伝票印字に要される手間および設備を省くことができるといった利点がある。しかしながらこの方法は、配送伝票、納品書、請求書となる情報部を有する用紙を折り畳む際に、配送伝票部が一番上にくるように折り畳むことが必須となり、またこうして折り畳まれた用紙を、配送伝票部が表面に現れるように透明な袋に入れることも必須となる。そしてこれらの操作には誤りが生じることがあり、また誤りが生じ配送伝票部が表面に出ていない場合は配送することができなくなるという不具合がある。
【０００４】
特開２００３−１１５５２号公報（特許文献１）には、ピッキングリストの機能と納品リストの機能とを兼ねた領域を備えた物流用帳票が開示されている。この物流用帳票は、接着剤塗布部が上面シートの裏面に、そして情報印字部が上面シートの表面に設けられている状態でプリンタ印字を行うため、これらに対応する粘着部および情報記載部が同一面に存在する状態で印字を行う本考案の配送伝票作製用紙とは、その構造が異なる。
【０００５】
特開２００９−７２９５３号公報（特許文献２）には、情報がプリントされるシートが切り離し予定部によって配送伝票部と、払込帳票部及び商品明細書部に分断された配送伝票において、前記配送伝票部の情報がプリントされる面の裏面には擬似接着構造部を介して粘着紙が貼付され、前記払込帳票部及び商品明細書部の情報がプリントされる面の裏面には、剥離剤層を介してパターン状に形成された再貼付可能な接着剤によって申込封書シートが貼付され、前記申込封書シートの再貼付可能な接着剤が形成された面には申込情報記載欄が設けられ、前記再貼付可能な接着剤が形成された面の裏面には宛先情報が印刷され、申込封書シートの周縁には開封のための切込みが形成されたことを特徴とする申込封書付き配送伝票、が開示されている。この配送伝票もまた、配送伝票部が表面にそして接着構造部が裏面に設けられた状態でプリンタ印字を行うため、これらに対応する配送伝票部および粘着部が同一面に存在する状態で印字を行う本考案の配送伝票作製用紙とは、その構造が異なる。
【先行技術文献】
【特許文献】
【０００６】
【特許文献１】特開２００３−１１５５２号公報
【特許文献２】特開２００９−７２９５３号公報
【考案の概要】
【考案が解決しようとする課題】
【０００７】
本考案は上記従来の問題を解決するものであり、その目的とするところは、汎用的なプリンタにおいてもフィード適性に優れており容易に印字することができ、そしてプリンタ印字後は、折り畳むことによって、情報記載部を伴った状態で貼付可能な配送伝票となる、プリンタ印字可能な配送伝票作製用紙を提供することにある。
【課題を解決するための手段】
【０００８】
本考案は、
プリンタ印字可能な配送伝票作製用紙であって、
この配送伝票作製用紙は、配送伝票部、粘着部、情報記載部を有し、
この配送伝票部、粘着部、情報記載部は、全て同一の面に存在し、
この粘着部は剥離片で覆われており、
この配送伝票部とこの粘着部との間に切り離し予定部が存在し、かつ、この粘着部とこの情報記載部との間に切り離し予定部が存在し、および
この配送伝票作製用紙は、プリンタ印字後に折り畳むことによって、情報記載部を伴った状態で貼付可能な配送伝票となる、
プリンタ印字可能な配送伝票作製用紙、
を提供するものであり、これにより上記目的が達成される。
【０００９】
上記情報記載部は納品書および／または請求書としての情報を表示する部分であるのがより好ましい。
【００１０】
また、上記配送伝票作製用紙をプリンタ印字後に折り畳むことにより、粘着部が配送伝票部の裏面および情報記載部の両方と付着し、情報記載部を伴った状態で貼付可能な配送伝票となる態様がより好ましい。
【考案の効果】
【００１１】
本考案の配送伝票作製用紙は、配送伝票、納品書、請求書などを一度に印字することができる。これにより、複数存在する各伝票の照合作業を省略することができ、そして各伝票の印字の手間を省くことができるといった利点がある。
【００１２】
本考案の配送伝票作製用紙はまた、一般に広く用いられている、Ａ４カット紙対応のレーザープリンタ、インクジェットプリンタ、ドットプリンタなどを用いて印字することができる。本考案の配送伝票作製用紙はさらに、これら一般的なプリンタにおいてフィード適性が良好であるという利点もある。このため、配送伝票作製用に専用のプリンタを準備する必要がないという利点がある。本考案の配送伝票作製用紙はさらに、印字後、配送伝票を作製する際の折り畳みが容易であるという利点もある。
【００１３】
本考案の配送伝票作製用紙を折り畳んで得られる配送伝票は、粘着部を有しており直接貼り付けることができるため、この配送伝票を入れるための透明小袋などを用意する必要がない。そのため、資材の無駄を省くことができ、また配送準備手順の簡素化を図ることができる。
【００１４】
本考案の配送伝票作製用紙を折り畳んで得られる配送伝票は、納品書、請求書などの情報記載部が内側に折り込まれ封止されているため、配送時においては秘匿性に優れており、そして荷物を受け取った受取人は情報記載部を破壊することなく容易に開封することができる。
【図面の簡単な説明】
【００１５】
【図１】本考案の配送伝票作製用紙（１）の１態様を示す平面概略図および断面概略図である。
【図２】本考案の配送伝票作製用紙（１）の１態様を示す断面概略図である。
【図３】本考案の配送伝票作製用紙（１）の他の１態様を示す断面概略図である。
【図４】本考案の配送伝票作製用紙（１）の他の１態様を示す断面概略図である。
【図５】本考案の配送伝票作製用紙（１）を折り畳むことによって得られる、貼付可能な配送伝票（１０）の１態様を示す平面概略図である。
【考案を実施するための形態】
【００１６】
以下、図面を参照して本考案の配送伝票作製用紙について説明する。図１は、本考案の配送伝票作製用紙（１）の１態様を示す平面概略図（上図）および断面概略図（下図）である。本考案の配送伝票作製用紙（１）は、配送伝票部（１１）、粘着部（１３）、情報記載部（１５）を有している。これら配送伝票部（１１）、粘着部（１３）、情報記載部（１５）は、全て同一の面に存在する。そしてこの配送伝票部（１１）と粘着部（１３）との間に、切り離し予定部（２１）が存在し、かつ、この粘着部（１３）と情報記載部（１５）との間に、切り離し予定部（２３）が存在する。粘着部（１３）上には、粘着剤などを塗装して得られる粘着層（２５）が設けられており、これにより粘着性が付与されている。この粘着部（１３）は剥離片（１７）で覆われている。そのため、配送伝票部（１１）、粘着部（１３）、情報記載部（１５）が全て同一の面に存在していても、配送伝票部および／または情報記載部へのプリンタ印字は良好に行うことができる。
【００１７】
配送伝票部（１１）と粘着部（１３）との間に存在する切り離し予定部（２１）、粘着部（１３）と情報記載部（１５）との間に存在する切り離し予定部（２３）には、ミシン目状の切り込みが付与されている。これにより、配送伝票部（１１）と粘着部（１３）とを、そして粘着部（１３）と情報記載部（１５）とを、容易に切り離すことができる。
【００１８】
配送伝票作製用紙（１）は、プリンタ印字適性が良好であって、かつ配送伝票としての使用に十分な強度を有する材質であれば、特に制限されることなく用いることができる。なお本明細書において「配送伝票作製用紙」は紙状物を意味しており、その材質は紙に限定されるものではない。例えば選挙の投票用紙は「用紙」といわれるものの、構成材質は紙ではなくオレフィン類であるのと同様である。配送伝票作製用紙（１）の材質として例えば、上質紙、中質紙、再生紙、クラフト紙、コート紙、合成紙、ラミネート紙などの紙類、そしてオレフィン、セロファン、延伸ポリエチレン、延伸ポリプロピレン、ＰＥＴフィルムなどの樹脂フィルムなどが挙げられる。配送伝票作製用紙（１）として樹脂フィルムを用いる場合は、その表面に良好にプリンタ印字できるように、コロナ放電処理、フレーム処理、プライマー塗布などの表面処理を行う必要がある。
【００１９】
配送伝票部（１１）は、所定事項を印字することによって、配送物と共に送る配送伝票として機能する部分である。このため配送伝票部（１１）は、少なくとも荷物の届け先情報の表示部を有する。この配送伝票部（１１）の構成および表示内容は、配送物を配送する配送業者、配送方法、そして配送物を出荷する業者または個人に依存して任意に変更することができる。
【００２０】
配送伝票部（１１）の構成の１態様として、例えば、配送物の受取人の手元に残る「貼付票」および配送時に配送業者が配送物の受取確認のために持ち帰る「配達票」によって構成される態様が挙げられる。これらの「貼付票」および「配達票」には何れも、お問い合わせ伝票番号、お届け先情報、ご依頼主情報、発送元情報、内容物情報、お届け予定日情報、お届け予定時間帯情報などが表示される。配達票にはさらに受領印欄が設けられる。必要に応じて、「貼付票」および「配達票」の間に、ミシン目状の切り込みなどによる切り離し予定部を設けてもよい。
【００２１】
情報記載部（１５）の構成の１態様として、例えば、納品書としての情報を記載する態様が挙げられる。図２は、情報記載部（１５）が納品書として機能する態様を示す場合の断面概略図である。ここで「納品書」とは、配送される商品の名称およびその個数を表示する帳票の機能を備えた書類を意味する。これらの機能を備えていれば「納品書」という名称に限定されるものではなく、例えば「納品リスト」または「お買い上げ明細書」といった名称であってもよい。納品書には、配送される商品の名称およびその個数以外にも、例えば、商品単価、商品コード、合計金額、支払期限、キャンペーン情報などの情報が必要に応じて表示されていてもよい。
【００２２】
情報記載部（１５）の構成の他の１態様として、例えば、納品書および請求書としての情報を記載する態様が挙げられる。図３は、情報記載部（１５）が納品書および請求書として機能する態様を示す場合の断面概略図である。図３に示される態様においては、略中央位置において折られて２つの部分に分けられた情報記載部（１５）において、折り畳んだ状態で配送伝票部（１１）と接することとなる部分を例えば請求書として、そして折り畳んだ状態で粘着部（１３）と接することとなる部分を例えば納品書とすることができる。ここで「請求書」とは、少なくとも配送商品および必要に応じた配送料および税金などの合計支払金額を表示する帳票の機能を備えた書類を意味する。これらの機能を備えていれば「請求書」という名称に限定されるものではなく、例えば「払込票」または「支払伝票」といった名称であってもよい。さらにこの請求書は、コンビニエンスストア、銀行、日本郵便などで払込票または振込伝票として使用できる機能を有していてもよい。請求書には、合計支払金額以外にも、例えば、配送される商品の名称およびその個数以外、商品単価、商品コード、合計金額、支払期限、キャンペーン情報などの情報が必要に応じて表示されていてもよい。
【００２３】
情報記載部（１５）が、納品書および請求書としての情報を記載する態様である場合は、これら納品書と請求書との間に、ミシン目状の切り込みなどによる切り離し予定部（３５）を設けてもよい（図３）。切り離し予定部（３５）を設けることによって、納品書と請求書との切り離しが容易となり、また配送伝票作製用紙（１）の折り畳みが容易となるといった利点がある。
【００２４】
配送伝票作製用紙（１）において、配送伝票部（１１）と情報記載部（１５）との間に存在する粘着部（１３）には、粘着剤などを塗装して得られる粘着層（２５）が設けられており、これにより粘着性が付与されている。粘着層（２５）の調製に用いられる粘着剤として、配送伝票が配達中に脱落しないように貼り付けるのに適した粘着力を有する、一般的な粘着剤を用いることができる。このような粘着剤として、例えばホットメルト粘着剤、水性エマルジョン系粘着剤およびＵＶ硬化型粘着剤などが挙げられる。
【００２５】
ホットメルト粘着剤として、例えば、合成ゴム系ホットメルト粘着剤、熱可塑性エラストマー系ホットメルト粘着剤、オレフィン系ホットメルト粘着剤、ゴムオレフィン系ホットメルト粘着剤などが挙げられる。水性エマルジョン系粘着剤として、例えば、オレフィン系粘着剤、アクリルエマルジョン系粘着剤、アクリル酸アルキルエステル共重合体、シリコン系粘着剤、天然ゴムラテックス変性体などが挙げられる。ＵＶ硬化型粘着剤として、例えば、アクリレート系ＵＶ硬化型粘着剤などが挙げられる。
【００２６】
上記粘着剤のうち、合成ゴム系ホットメルト粘着剤、アクリルエマルジョン系粘着剤（アクリル酸エステル共重合物など）、オレフィン系粘着剤（ポリビニルアルキルエーテルなど）、オレフィン系ホットメルト粘着剤などが好ましく用いられる。粘着剤の塗装方法は、各粘着剤の種類に応じた一般的な塗装手段を用いることができる。
【００２７】
粘着層（２５）を設けることによって粘着性が付与された粘着部（１３）は、剥離片（１７）によって覆われている。剥離片（１７）として一般的に用いられる剥離紙または離型紙などを用いることができる。剥離片の具体例として、例えばシリコン硬化剥離紙、パラフィンワックス塗工剥離紙などが挙げられる。
【００２８】
配送伝票作製用紙（１）をプリンタ印字した後に折り畳んで得られる配送伝票（１０）において、粘着部（１３）は、配送伝票（１０）を配送物に貼り付けた状態に保持するための粘着面と、配送伝票部（１）の裏面と付着し、情報記載部を内側に折り込んだ状態に保つ封止部との、両方の機能を果たすこととなる（図２、図３の概略断面図）。そしてこの粘着部（１３）は、ミシン目状の切り込みなどによる折り部（３１）を有するのが好ましい。この折り部（３１）を有することによって、プリンタ印字後に配送伝票作製用紙（１）を折り畳むことが容易となる。
【００２９】
本考案の配送伝票作製用紙（１）の大きさは、例えばＡ４サイズであるのが好ましい。この大きさは汎用的なプリンタを用いて印字するのに適したサイズであるためである。なお、印字を行うプリンタにセット可能であれば、例えばＡ１〜Ａ５およびＢ１〜Ｂ５などの任意の大きさであってよい。
【００３０】
次に、本考案の配送伝票作製用紙（１）の使用方法を説明する。本考案の配送伝票作製用紙（１）は、インクジェット式、レーザー式、熱転写式、ドットインパクト式などの各種汎用プリンタを用いて、配送伝票部（１１）および情報記載部（１５）に印字を行うことができる。本考案の配送伝票作製用紙（１）は、配送伝票部（１１）および情報記載部（１５）が同一の面上に存在しているため、上記汎用プリンタを用いる場合であっても一度に好適に印字することができるという利点がある。なおこの配送伝票部（１１）および情報記載部（１５）の印字は、必要に応じて別々に行ってもよい。
【００３１】
まず、配送伝票作製用紙（１）の配送伝票部（１１）および情報記載部（１５）に、必要な情報をプリンタで印字する。次いで、プリンタで印字された配送伝票作製用紙（１）を用いて、情報記載部（１５）に表示された情報に基づき、配送する商品を仕分け、配送用箱などに商品を入れて商品梱包を行う。商品の仕分けおよび梱包の際に、情報記載部に確認サインなどを付してもよい。
【００３２】
次に、配送伝票作製用紙（１）を、図２〜４に示されるように、情報記載部（１５）を内側に折り込むように、切り離し予定部（２１）および折り部（３１）に従って折り畳み、貼付可能な配送伝票（１０）とする。図２〜４は、本考案の配送伝票作製用紙（１）の１態様を示す断面概略図であり、プリンタ印字後に折り畳んで、貼付可能な配送伝票（１０）とする過程を示す断面概略図である。このように本考案の配送伝票作製用紙（１）は、プリンタ印字後に折り畳むことによって、情報記載部が内側に折り込まれ、そして情報記載部を伴った状態で貼付可能な配送伝票（１０）となる。
【００３３】
図２および図３は、粘着部（１３）の一部が配送伝票部（１１）の裏面と付着し、情報記載部（１５）を内側に折り込んだ状態に保つ封止部となる態様を示している（図２および図３の下図参照）。このように情報記載部（１５）は、粘着剤（１３）によって封止されているため、配送工程中における秘匿性が保たれる。
【００３４】
本発明の配送伝票作製用紙の好ましい態様として、配送伝票作製用紙をプリンタ印字後に折り畳むと、粘着部（１３）が配送伝票部（１１）の裏面および情報記載部（１５）の両方と付着するように粘着部（１３）が設けられている態様が挙げられる。粘着部（１３）が配送伝票部（１１）の裏面および情報記載部（１５）の両方と付着している部分の断面概略図を図４に示す。なおこの場合において、粘着部（１３）と付着する情報記載部（１５）はごく一部であってよく、例えば粘着部（１３）の粘着層（２５）の形状を変化させることによって、図３で示される概略断面および図４で示される概略断面の両方を有する態様としてもよく、そしてこの態様がより好ましい。このように、粘着部（１３）が配送伝票部（１１）の裏面および情報記載部（１５）の両方と付着する部分が含まれる態様においては、例えば後述する図５に示される態様において配送業者が配送物の受取確認のために配達伝票部（１１）の「配達票」を持ち帰るために剥がす際に生じうる、情報記載部（１５）のめくりあがりを防ぐことができる。情報記載部（１５）の一部が粘着部（１３）と付着し、封止されているためである。これにより、情報記載部（１５）に記載された情報内容の秘匿性をより高度に保持することができるという利点がある。
【００３５】
次いで、プリンタで印字された配送伝票作製用紙（１）は、配送商品の仕分けおよび梱包に用いた後に折り畳むことによって、配送伝票（１０）となる。これにより、伝票が複数存在する場合における各伝票間の照合作業を省略でき、配送工程手順を軽減することができるという利点がある。
【００３６】
次いで、配送伝票作製用紙（１）を折り畳むことによって得られた配送伝票（１０）を、商品が梱包された配送用箱などの表面に貼り付ける。この貼付作業は、粘着部（１３）上の剥離片（１７）を取り除き、粘着部（１３）を配送用箱に付着させることによって行う。こうして配送伝票（１０）を貼り付けた状態で、配送業者による配送が行われる。このように得られた配送伝票（１０）は、配送伝票を入れるための透明小袋などを用意する必要がない。そのため、資材の無駄を省くことができ、また配送準備手順の簡素化を図ることができる。
【００３７】
図５は、本考案の配送伝票作製用紙（１）を折り畳むことによって得られる、貼付可能な配送伝票（１０）の１態様を示す平面概略図である。図５に示されるように、配送伝票部を構成する貼付票および配達票は、ミシン目状の切り込みによる切り離し予定部（３３）を有しているのが好ましい。ここで縦方向の切り離し予定部（３３）の左側部においては、配送伝票部の裏側が粘着部（１３）と付着しており、情報記載部が封止された状態となっている。この縦方向の切り離し予定部（３３）を有することによって、受取人が情報記載部を取り出すことが容易となる。なお本考案の配送伝票作製用紙（１）の切り離し予定部および／または折り部における「ミシン目状の切り込み」は、ハーフカットに置き換えることもできる。
【００３８】
図５に示される態様において、配送業者は、配送物を受取人に配送した際に、配送物の受取確認のために配達伝票部（１１）の「配達票」を持ち帰ることができる。そして、配送業者から配送物を受け取った受取人は、切り離し予定部（２１）、（２３）（図示せず）および（３３）に従って切り離し作業を行うことによって、貼付票および情報記載部（１５）を容易に取り出すことができる。こうして貼付票および情報記載部（１５）を切り離した後は、粘着部（１３）のみが配送物上に残ることとなる。この粘着部（１３）上には、お届け先情報などの個人情報は記載されていないため、個人情報の保護にも有用である。
【００３９】
次いで受取人は、切り離された情報記載部（１５）に表示される納品書および／または請求書を用いて、配送された商品のチェックを行ったり、支払手続などを行ったりすることができる。
【産業上の利用可能性】
【００４０】
本考案の配送伝票作製用紙（１）は、各種通信販売会社などの商品配送に好適に用いることができる。
【符号の説明】
【００４１】
１：配送伝票作製用紙、
１０：配送伝票、
１１：配送伝票部、
１３：粘着部、
１５：情報記載部、
１７：剥離片、
２１：切り離し予定部、
２３：切り離し予定部、
２５：粘着層、
３１：折り部、
３３：切り離し予定部、
３５：切り離し予定部。
【図１】
0003156746.tif 000003
【図２】
0003156746.tif 000004
【図３】
0003156746.tif 000005
【図４】
0003156746.tif 000006
【図５】
0003156746.tif 000007